(57)【要約】食器洗い機（１０）は、食器を収納する開口部（２ａ）を有する洗浄槽（２）と、開口部（２ａ）を開閉可能に配設される扉（６）を備える。扉（６）は、閉状態で上下部および両側部の周縁をシール可能なシール部（１１）を有し、シール部（１１）は、側部または下部の少なくとも一部に洗浄槽（２）の底面から水位を上げて溢れる溢水が抜けられるシール抜け箇所を有する。洗浄槽（２）は、扉（６）の下部（６ａ）のシール部（１１）の外側に設けられ、溢水が流れ込む溢水口（１４）と、扉（６）の下部のシール部（１１）の外側に、溢水口（１４）の高さより低い位置に配設され、溢水状態を検知する溢水検知部（１６）を備える。これにより、溢水が一時的な場合、リトライ可能な食器洗い機（１０）を提供する。
2020071006.tif 000002
【特許請求の範囲】
【請求項１】
食器を収納する開口部を有する洗浄槽と、
前記洗浄槽の前記開口部を開閉可能に配設される扉と、を備え、
前記扉は、
閉状態で、上下部および両側部の周縁をシール可能なシール部を有し、
前記シール部は、
側部または下部の少なくとも一部に、前記洗浄槽の底面から水位を上げて溢れる溢水が抜けられるシール抜け箇所を有し、
前記扉の下部の前記シール部の外側に設けられ、前記シール抜け箇所を抜けた前記溢水が流れ込む溢水口と、前記扉の下部の前記シール部の外側に、前記溢水口の高さより低い位置に配設され、溢水状態を検知する溢水検知部と、を備える、
食器洗い機。
【請求項２】
前記溢水検知部は、一対の電極から構成され、前記一対の電極の間の電気的な特性変化に基づいて、前記洗浄槽からの溢水状態を検知する、
請求項１に記載の食器洗い機。
【請求項３】
食器を洗浄する洗浄水を前記洗浄槽に供給する給水部と、
前記洗浄槽の底面にたまった洗浄水を排水する排水部と、
前記溢水検知部と、前記排水部と、前記給水部と、を制御する制御部と、を、さらに備え、
前記制御部は、前記溢水検知部が前記洗浄槽内からの溢水状態を検知した場合、前記排水部によって前記洗浄槽の底面にたまった洗浄水を排水し、前記溢水検知部が溢水状態の解消を確認すると、再度、前記給水部から洗浄水を供給し、前記溢水検知部による溢水状態の検知の有無を確認する溢水状態確認指示部を、有する、
請求項１または請求項２のいずれか１項に記載の食器洗い機。
【請求項４】
前記制御部は、前記溢水状態確認指示部による溢水状態の確認において、前記溢水検知部が、再度、溢水状態を検知した場合、前記給水部からの洗浄水の供給を中止して、溢水状態であることを、少なくとも音または表示のいずれか一方で知らせる報知指示部を、さらに有する、
請求項３に記載の食器洗い機。
【発明の詳細な説明】
【技術分野】
【０００１】
本発明は、溢水検知部を有する食器洗い機に関する。
【背景技術】
【０００２】
従来、食器洗い機は、洗浄水を循環させて利用する場合、例えば底部に設けられた給水タンクの一定の水位まで、洗浄水が給水される。このとき、水位センサが、一定の水位まで洗浄水が給水されたことを検知すると、洗浄槽への洗浄水の給水を止める。しかし、洗浄水の給水の際に、誤った洗剤の投入量などによる発泡などで、水位センサが誤検知する場合がある。この場合、洗浄水が一定の水位に達しても、水位センサが機能（検知）しないため、給水が続く。そのため、洗浄水の水位が上がり続け、底部に設けられた給水タンクから洗浄水が溢れる溢水状態となる場合がある。この場合、通常、一旦、洗浄槽内の洗浄水を排水して、再度、給水するリトライ動作を行う。これにより、溢水状態を解消して、食器洗い機を正常な動作に復帰させている。【０００３】
また、扉のシール部材の劣化によって漏れる水を受ける水受けパンと、水受けパンに溜まった水を検知する水検知部を備える食器洗浄機が知られている（例えば、特許文献１参照）。【０００４】
しかしながら、特許文献１に記載の食器洗浄機は、発生した溢水が、一時的な溢水か、故障による溢水かを、区別できない。そのため、一時的な溢水の場合でも、ユーザ側では、一時的な溢水であることを確認できない。これにより、故障による溢水などの異常状態を判別して、リセットできない虞がある。
【先行技術文献】
【特許文献】
【０００５】
【特許文献１】特開２００１−２０４６７３号公報
【発明の概要】
【０００６】
本発明は、一時的な溢水の場合に、リトライ可能な食器洗い機を提供する。
【０００７】
本発明に係る食器洗い機は、食器を収納する開口部を有する洗浄槽と、洗浄槽の開口部を開閉可能に配設される扉を備える。扉は、閉状態で上下部および両側部の周縁をシール可能なシール部を有する。シール部は、側部または下部の少なくとも一部に洗浄槽の底面から水位を上げて溢れる溢水が抜けられるシール抜け箇所を有する。さらに、洗浄槽は、扉の下部のシール部の外側に設けられ、シール抜け箇所を抜けた溢水が流れ込む溢水口と、扉の下部のシール部の外側に、溢水口の高さより低い位置に配設され、溢水状態を検知する溢水検知部を備える。
【０００８】
本発明の食器洗い機によれば、シール部は、洗浄槽の底面から水位を上げて溢れる溢水が抜けられるシール抜け箇所を有する。さらに、シール部の外側に、溢水口の高さより低い位置に配設され、溢水状態を検知する溢水検知部を備える。これにより、溢水口に溢水が流れ込む前に、溢水状態を検知して、洗浄水を排水し、排水後、再度、洗浄水の給水をリトライできる。
【図面の簡単な説明】
【０００９】
【図１】図１は、実施の形態に係る食器洗い機の斜め上方から洗浄槽の内部を見た概略斜視図である。
【図２】図２は、同食器洗い機の洗浄槽の底面、および扉の下部に設けられた溢水検知部を示す概略平面図である。
【図３】図３は、同食器洗い機の前後方向の垂直切断面を側方から見た概略断面図である。
【図４】図４は、図１の食器洗い機の前方左側の部分垂直断面を示す斜視図である。
【図５】図５は、同食器洗い機の構成を示すブロック図である。
【発明を実施するための形態】
【００１０】
以下、実施の形態に係る食器洗い機について、添付図面を参照しながら説明する。なお、図面において実質的に同一の部材については同一の符号を付している。
【００１１】
（実施の形態）
以下、本実施の形態に係る食器洗い機１０について、図１から図４を用いて、説明する。
【００１２】
図１は、本実施の形態に係る食器洗い機１０の斜め上方から洗浄槽２の内部を見た概略斜視図である。図２は、食器洗い機１０の洗浄槽２の底面、および扉６（図３参照）の下部に設けられた溢水検知部を示す概略平面図である。図３は、食器洗い機１０の前後方向の垂直切断面を側方から見た概略断面図である。図４は、図１の食器洗い機の前方左側の部分垂直断面を示す斜視図である。なお、図では、便宜上、食器洗い機１０の前面の左から右にＸ方向、奥行き方向をＹ方向、鉛直上方をＺ方向として示している。また、図１では、内部構造を示すために前面の扉（図３に示す扉６）を省略して図示している。
【００１３】
本実施の形態に係る食器洗い機１０は、図１から図３に示すように、少なくとも、本体１と、本体１に収納される洗浄槽２と、扉６などを備える。洗浄槽２は、例えば前面に、開口部２ａを有し、食器などの被洗浄物を収納する。扉６は、洗浄槽２の開口部２ａを開閉可能に設けられる。
【００１４】
扉６は、閉状態において、開口部２ａの上下部および両側部の周縁をシールするシール部１１を有する。シール部１１は、側部または下部の少なくとも一部に設けられる、シール抜け箇所１２を有する。シール抜け箇所１２は、洗浄時などの給水時において、洗浄槽２の底面から水位を上げて、洗浄槽２から溢れ出る溢水を、後述する溢水受け１３に通流させる。
【００１５】
また、洗浄槽２は、扉６の下部６ａのシール部１１の外側に配設されている溢水受け１３の底面から突出するように設けられる溢水口１４を有する。溢水口１４は、洗浄槽２内で底面から水位を上げて溢れ、シール抜け箇所１２を抜けて通流する溢水が流れ込む。さらに、洗浄槽２は、扉６の下部６ａで、シール部１１の外側に配設される溢水受け１３の底面に設けられる溢水検知部１６を備える。溢水検知部１６は、突出する溢水口１４の高さより、低い位置に配設され、溢水状態を検知する。
【００１６】
つまり、溢水検知部１６は、扉６のシール部１１よりも外側（−Ｙ方向）に設けられる。そのため、溢水検知部１６は、通常の使用時においては、洗浄槽２内に露出しないため、洗浄水などがかからない。これにより、通常使用時における、溢水検知部１６の誤検知などの誤動作を抑制できる。また、溢水検知部１６は、溢水口１４よりも低い位置に配設される。これにより、溢水口１４に溢水が流れ込む前に、溢水検知部１６で溢水状態を検知できる。そのため、通常の洗浄時よりも少し水位が高くなってしまった程度での溢水が流れるパターンなどにおいて、速やかに、溢水検知部１６で溢水を検知できる。その結果、溢水検知部１６の溢水の検知情報に基づいて、洗浄水を排水し、その後、再度、洗浄水の給水をリトライできる。つまり、洗浄槽２からの溢水が、溢水口１４に流れ込む前に、迅速に、給水のリトライを実行できる。
【００１７】
以下、食器洗い機１０を構成する各部材について、項分けして、図１から図４を参照しながら、説明する。
【００１８】
＜本体＞
本体１は、食器洗い機１０の外郭を構成し、内部に、洗浄槽２を格納する。なお、本体１は、例えばキッチンの調理台の下にビルトイン型で収納されてもよい。また、本体１は、独立してキッチンの上などに載置されるタイプの食器洗い機の本体を構成してもよい。
【００１９】
＜洗浄槽＞
洗浄槽２は、例えば本体１の前面側（−Ｙ方向）に開口部２ａを有する。洗浄槽２は、内部に、食器などの被洗浄物を収納する食器トレイ４ａ、４ｂが配置される。なお、洗浄槽２は、上部に開口部を有し、上部から食器などの被洗浄物を収納する食器トレイが配置される構造でもよい。
【００２０】
また、洗浄槽２は、下部に搭載される、例えば水位検知部（図示せず）を備える。
【００２１】
つまり、洗浄槽２は、外部水栓（図示せず）から給水ホース（図示せず）ならびに給水弁２７（図５参照）を介して、洗浄水が給水される。そして、水位検知部が、給水される洗浄水の水位を検知し、洗浄するための適切な水位になると、給水弁を閉じて、外部水栓からの給水を停止するように構成される。なお、給水弁は、給水用のポンプで代用してもよい。
【００２２】
このとき、給水される洗浄水の通常の洗浄時における水位は、少なくとも扉６の下部６ａのシール部１１よりも低い位置に設定される。
【００２３】
なお、水位検知部は、例えば給水された洗浄水の圧力を検知するスイッチで構成してもよい。また、例えばフロート式などの他の構成で水位検知部を構成してもよい。
【００２４】
＜扉＞
扉６は、洗浄槽２の開口部２ａを開閉可能に設けられる。扉６は、洗浄槽２の開口部２ａが前面側の場合には前面側に設けられ、開口部２ａが上部側の場合には上部側に設けられる。なお、扉６は、１枚または２枚以上を組み合わせて構成してもよい。
【００２５】
扉の開き方としては、手前（−Ｙ方向）側に向って開く場合、扉６の開放位置が前面下方に位置するように扉６を開く構成でも、扉６の開放位置が前方上部に位置するように扉６を開く構成でもよい。さらに、左（−Ｘ方向）または右（Ｘ方向）に向かって扉６が開く場合、扉６の開放位置が左側または右側の位置に、扉６を開く構成でもよい。また、２枚以上の構成の扉６の場合、それぞれの扉６が対称に開く、いわゆる観音開きで開く構成でもよく、それぞれの扉６が同じ方向に開く構成でもよい。
【００２６】
＜シール部＞
シール部１１は、扉６の後面側（Ｙ方向）に設けられる。シール部１１は、扉６の閉状態において、扉６の上下部および両側部の周縁をシールする。
【００２７】
また、図４に示すように、シール部１１は、例えば側部のシール部１１に形成される、シール抜け箇所１２を有する。実施の形態１では、シール抜け箇所１２として、側部のシール部１１の左右に形成される、第１シール抜け箇所１２ａおよび第２シール抜け箇所１２ｂを有する例で説明する。なお、第１シール抜け箇所１２ａおよび第２シール抜け箇所１２ｂを区別しない場合は、単に、シール抜け箇所１２と記す。
【００２８】
シール抜け箇所１２は、洗浄槽２の底面７から何らかの理由で通常の洗浄時に規定された水位よりも水位を上げて溢れてくる溢水を通流させ、シール部１１の外側に流す。つまり、溢水は、洗浄槽２の外側に排出される。
【００２９】
なお、シール抜け箇所１２は、図４に示すように、側部のシール部１１に設ける場合に限られない。例えば、シール抜け箇所１２は、下部のシール部１１の、少なくとも一部に設けてもよい。
【００３０】
そして、図４中の白抜き矢印で示す溢水１５は、シール部１１の左右の側部に形成された第１シール抜け箇所１２ａおよび第２シール抜け箇所１２ｂを抜けて、図２に示す溢水受け１３に沿って、例えば洗浄槽２の前面側の中央に向かって流れる。なお、シール部１１に形成されるシール抜け箇所１２は、図３に示す扉６の下部６ａと同程度、または下部６ａよりも低い位置に設けることが望ましい。
【００３１】
また、図２に示すように、第１シール抜け箇所１２ａおよび第２シール抜け箇所１２ｂを抜けた、白抜き矢印で示す溢水１５は、シール部１１と溢水受け１３との間を流れる。このとき、溢水は、溢水口１４を構成する第１溢水口１４ａおよび第２溢水口１４ｂの開口の位置よりも低い（−Ｚ方向）溢水受け１３を、例えば洗浄槽２の中央に向かって流れる。
【００３２】
そして、溢水受け１３を流れた溢水は、溢水検知部１６を構成する一対の電極１６ａ、電極１６ｂの間に達する。このとき、後述するように、溢水検知部１６は、溢水口１４の開口よりも、低い位置に配設されている。つまり、溢水口１４の開口は、扉６の下部６ａより一定の高さ、Ｚ方向に突出した位置に設けられる。
【００３３】
そのため、溢水受け１３を流れる溢水１５の水位が比較的低い場合、溢水１５は溢水口１４に流れこまず、シール部１１と溢水受け１３との間を、さらに例えば洗浄槽２の中央に向かって流れて、溢水検知部１６の一対の電極１６ａ、電極１６ｂの間に達する。
【００３４】
また、シール部１１にシール抜け箇所１２を設けることにより、溢水１５が洗浄槽２内を満たして、図１に示す本体１の上部の排気口９から溢れ出るような状態を避けることができる。
【００３５】
さらに、後述するように、シール抜け箇所１２から抜け出た溢水１５は、比較的低い水位の状態で、溢水検知部１６で検知される。そのため、一時的な溢水か、故障による溢水かを、判断するために、早期に、リトライ（繰り返し）を行うことができる。ここで、リトライとは、洗浄水の排水後に、再度、給水し、溢水が生じるか否かを確認するステップをいう。なお、リトライの回数は、１回に限られず、複数回実行してもよい。
【００３６】
また、シール抜け箇所１２から抜け出た溢水は、上述したように、溢水受け１３を流れる。このとき、例えば溢水検知部１６で溢水を検知できなかった場合、溢水は、溢水受け１３内に、さらに溜まって、水位が上昇する。この場合、溢水口１４の開口の高さ以上に溢水が増加すると、溢水は、溢水口１４の開口から溢水口１４内に流入し、導入路１７を介して溢水受けパン２４に導かれる。これにより、溢水１５が本体１の上部の排気口９から溢れ出るような状態を、より確実に防止できる。
【００３７】
＜食器トレイ＞
食器トレイ４ａおよび食器トレイ４ｂは、図３に示すように、食器などの被洗浄物８を収納する。食器トレイ４ａ、４ｂは、例えば、図１に示す洗浄槽２の内面の両方の側面に設けられる一対のレール３ａおよび一対のレール３ｂに沿って、洗浄槽２の前面側から出し入れ可能に配置される。なお、図１に示す例では、上段側にレール３ａ、下段側にレール３ｂを設け、上下の２段に食器トレイ４ａ、４ｂが配置可能な構成で図示している。
【００３８】
＜給水弁（給水部）＞
給水部を構成する給水弁は、開放により、洗浄槽２に、食器などの被洗浄物を洗浄する洗浄水を供給する。
【００３９】
具体的には、洗浄水は、例えば外部水栓（図示せず）から給水ホース（図示せず）ならびに給水弁２７（図５参照）を介して、洗浄槽２に給水される。給水された洗浄水は、扉６の下部のシール部１１よりも低い位置に設定された水位まで供給され、洗浄槽２の底部に貯留される。このとき、供給される洗浄水の水位の制御は、例えば水位検知部によって実行される。
【００４０】
＜洗浄ノズル（洗浄部）＞
洗浄部である洗浄ノズル５は、例えば３つの洗浄ノズル５ａ、洗浄ノズル５ｂおよび洗浄ノズル５ｃで構成される。洗浄ノズル５ａ、５ｂ、５ｃのそれぞれは、例えば洗浄槽２内の異なる位置、あるいは異なる高さに配設される。洗浄ノズル５ａ、５ｂ、５ｃは、食器トレイ４ａおよび食器トレイ４ｂに収納された食器などの被洗浄物８に洗浄水を噴射して、被洗浄物８を洗浄する。
【００４１】
なお、洗浄ノズル５ａ、５ｂ、５ｃは、上記配置構成に限られず、洗浄槽２の構成や形状、食器トレイの形状や配置などに応じて、洗浄槽２内の適切な位置に、配置することが望ましい。
【００４２】
また、洗浄槽２内の下部近傍に洗浄水を加熱して温水にするヒータを設け、温水を、それぞれの洗浄ノズル５ａ、５ｂ、５ｃに供給する構成としてもよい。これにより、洗浄効率が、より向上する。
【００４３】
＜洗浄ポンプ（洗浄部）＞
洗浄部である洗浄ポンプ２３は、図３に示すように、洗浄槽２の底面７の外方側に配設され、洗浄槽２内に溜められた洗浄水を吸引する。そして、吸引した洗浄水を、洗浄ノズル５である洗浄ノズル５ａ、５ｂ、５ｃに供給し、被洗浄物を洗浄する。さらに、洗浄し、洗浄槽２の底面７に落下する洗浄水を、再度、吸引して、上記動作を繰り返し、洗浄水を循環させる。
【００４４】
＜排水ポンプ（排水部）＞
排水部である排水ポンプ２２は、被洗浄物の洗浄後、洗浄槽２の底面７にたまった洗浄水を、排水口２０から排水ホースなどを介して、機外に排出する。このとき、排水口２０に、残さいフィルタ２１を設ける構成が望ましい。残さいフィルタ２１は、洗浄水に含まれる残さいを捕集する。これにより、残さいなどによる循環経路や、排水経路の詰まりなどの不具合の発生を防止できる。
【００４５】
＜溢水口＞
溢水口１４は、扉６の下部６ａのシール部１１の外側（−Ｙ方向）に配設される。溢水口１４は、供給された洗浄水が、洗浄槽２内で底面７から水位を上げて溢れ、シール抜け箇所１２から溢水受け１３を流れる溢水が流れ込むように設けられる。なお、溢水口１４は、Ｚ方向において、扉６の下部６ａのシール部１１の下端より高く、溢水受け１３の底面より高い位置に開口を有する。溢水口１４は、溢水が溢水受け１３から溢れる前に、導入路１７を介して、溢水を溢水受けパン２４に導く。
【００４６】
このとき、オーバフロー検知部２６を溢水受けパン２４に設けてもよい。オーバフロー検知部２６は、溢水受けパン２４に、水があることを検知する。なお、オーバフロー検知部２６は、溢水受けパン２４内の水が所定の水位にあることを検知できればよい。そのため、オーバフロー検知部２６は、例えばフロート式で構成してもよい。これにより、溢水口１４からの溢水、つまり、真性のオーバフローであることを検知できる。このとき、音または表示により、ユーザに、溢水口１４からの溢水を報知するように構成してもよい。
【００４７】
なお、上記真性のオーバフローとは、例えば洗浄槽２の底部が破損すると、給水しても溢水検知部１６まで到達することなく、洗浄槽２の底部から水漏れし、溢水受けパン２４に漏れた水をオーバフロー検知部２６で検知するしかない状態を意味する。
【００４８】
＜溢水検知部＞
溢水検知部１６は、図２に示すように、例えば一対の電極１６ａ、電極１６ｂから構成される。溢水検知部１６は、図３に示すように、扉６の下部６ａのシール部１１の外側（−Ｙ方向）で、溢水口１４の開口の高さより低い位置に配設される。溢水検知部１６は、溢水受け１３を流れる溢水状態を検知する。
【００４９】
具体的には、溢水検知部１６は、一対の電極１６ａ、１６ｂの間の電気的な特性変化、例えば電気抵抗の変化に基づいて、溢水状態を検知する。そのため、一対の電極１６ａ、１６ｂの間は、例えば撥水性とすることが望ましい。これにより、溢水受け１３内の溢水の水位が低下した際に、一対の電極１６ａ、１６ｂの間に、水が残りにくく、さらに速やかに引く。そのため、溢水状態が解除されたか否かを、迅速に、判断できる。
【００５０】
なお、溢水の水位を検知する水位センサを、シール部１１より内側（Ｙ方向）に設けた場合、水位センサが溢水の水位を誤検知する虞がある。つまり、通常使用時においては、洗浄槽２内は、洗浄水が噴流水となって溢れている。そのため、通常使用時にもかかわらず、水位センサが、噴流水の水位を溢水の水位と誤検知する虞がある。
【００５１】
そこで、実施の形態１では、溢水検知部１６を、シール部１１よりも外側（−Ｙ方向）に配設している。そのため、通常の使用状態においては、噴流水となった洗浄水が、溢水検知部１６にかかることはない。これにより、通常使用時における溢水検知部１６の誤検知を、より確実に抑制できる。
【００５２】
また、溢水検知部１６は、扉６の下部６ａで、溢水口１４の開口の高さよりも低い位置に設けられる。これにより、シール抜け箇所１２を抜け、溢水受け１３を流れる溢水が、溢水口１４に流れ込むよりも、先に、溢水検知部１６で溢水を検知できる。この場合、溢水受けパン２４には、溢水が流れ込まない。そのため、溢水受けパン２４に配設されるオーバフロー検知部２６による最終的なオーバフローの検知は、行われない（または、検知してもオーバフロー状態を検知しない）。つまり、溢水検知部１６で溢水を検知すると、給水弁２７を閉鎖することによって給水を止めるため、溢水口１４から溢水受けパン２４に水が流れ込まないので、オーバフローを検知しなくてもよい。
【００５３】
つまり、例えば、通常の洗浄時よりも少し水位が高くなってしまった程度での溢水が流れるパターンなどにおいて、溢水検知部１６で溢水を検知できる。これにより、溢水検知部１６の溢水の検知情報に基づいて、排水ポンプ２２を駆動して洗浄槽２の底面にたまった洗浄水を排水する。そして、再度、洗浄ポンプ２３からの洗浄水の給水をリトライできる。つまり、洗浄槽２からの溢水が、溢水口１４に流れ込む前に、迅速に、排水および給水のリトライを実行できる。
【００５４】
つぎに、食器洗い機１０の制御部３０について、図５を用いて、説明する。
【００５５】
図５は、食器洗い機１０の構成を示すブロック図である。
【００５６】
図５に示すように、食器洗い機１０の制御部３０は、溢水状態確認指示部３５ａを、さらに有する。
【００５７】
溢水状態確認指示部３５ａは、まず、溢水検知部１６で溢水状態を検知した場合、排水部である排水ポンプ２２を駆動して、洗浄槽２の底面にたまった洗浄水を、外部に排水する。
【００５８】
つぎに、溢水状態確認指示部３５ａは、溢水検知部１６で溢水状態の解消を確認すると、その後、再度、給水部である給水弁２７から洗浄水を供給する。これにより、溢水状態確認指示部３５ａは、溢水検知部１６による溢水状態の検知の有無を確認する。
【００５９】
つまり、溢水状態確認指示部３５ａは、溢水検知部１６が検知した溢水状態が、リトライで解消可能な一時的な溢水か、あるいはリトライで解消できない何らかの故障による溢水かを確認できる。
【００６０】
以下、食器洗い機１０の制御部３０の概略、および制御部３０を構成する要素ごとに項分けして、図５を参照しながら、説明する。
【００６１】
＜制御部（コンピュータ装置）＞
制御部３０は、例えばコンピュータ装置で構成される。コンピュータ装置は、例えば汎用的なコンピュータ装置を用いることができる。
【００６２】
つまり、コンピュータ装置は、図５に示すように、例えば処理部３１、記憶部３２、表示部３３などを含む。なお、コンピュータ装置は、さらに、図示しない、入力装置、記憶装置、インタフェースなどを含んでもよい。
【００６３】
制御部３０は、食器洗い機１０の、例えば溢水検知部１６、排水部である排水ポンプ２２、給水部である給水弁２７などを制御する。
【００６４】
＜処理部＞
処理部３１は、例えば、中央処理装置（ＣＰＵ；Ｃｅｎｔｒａｌ  Ｐｒｏｃｅｓｓｉｎｇ  Ｕｎｉｔ）、マイクロコンピュータ、または、コンピュータで実行可能な命令を実行できる処理装置などで構成される。
【００６５】
＜記憶部＞
記憶部３２は、例えば、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ−Ｏｎｌｙ  Ｍｅｍｏｒｙ）、ＲＡＭ（Ｒａｎｄｏｍ  Ａｃｓｅｓｓ  Ｍｅｍｏｒｙ）、フラッシュＳＳＤ（Ｓｏｌｉｄ  Ｓｔａｔｅ  Ｄｅｖｉｃｅ）、ハードディスク、ＵＳＢ（Ｕｎｖｅｒｓａｌ  Ｓｅｒｉａｌ  Ｂｕｓ）メモリ、磁気ディスク、光ディスク、光磁気ディスクなどの少なくとも一つで構成される。
【００６６】
記憶部３２は、プログラム３５などを含む。なお、制御部３０がネットワークに接続されている場合、必要に応じて、プログラム３５をネットワークからダウンロードする構成としてもよい。
【００６７】
＜プログラム＞
記憶部３２に含まれるプログラム３５は、溢水状態確認指示部３５ａの機能を実現するプログラムを含んでいればよい。溢水状態確認指示部３５ａの機能を実現するプログラムは、実行時において、記憶部３２から読み出されて、処理部３１で実行される。
【００６８】
具体的には、溢水状態確認指示部３５ａは、まず、溢水検知部１６で溢水状態を検知した場合、排水部である排水ポンプ２２を駆動して、洗浄槽２の底面にたまった洗浄水を、外部に排水する。
【００６９】
つぎに、溢水状態確認指示部３５ａは、溢水検知部１６で溢水状態が解消されたか否かを確認する。
【００７０】
溢水状態の解消を確認すると、溢水状態確認指示部３５ａは、その後、再度、給水部である給水弁２７を駆動して、洗浄槽２内に洗浄水を供給する。つまり、溢水状態確認指示部３５ａは、溢水検知部１６による溢水状態の検知の有無を確認する。
【００７１】
なお、溢水状態確認指示部３５ａによる、上記一連の溢水状態の確認は、リトライ（繰り返し）可能である。そのため、リトライの回数は、１回に限られず、複数回であってもよい。
【００７２】
また、記憶部３２に含まれるプログラム３５は、必要に応じて、報知指示部３５ｂの機能を実現するプログラムを含んでいてもよい。
【００７３】
つまり、溢水状態確認指示部３５ａは、溢水状態の確認において、溢水検知部１６が、再度、溢水状態を検知した場合、給水弁２７からの洗浄水の供給を中止する。
【００７４】
つぎに、報知指示部３５ｂは、溢水状態であることを、音または、表示部３３への表示により、ユーザに知らせる。なお、報知指示部３５ｂの機能を実現するプログラムも、実行時において、記憶部３２から読み出され、処理部３１で実行される。
【００７５】
＜表示部＞
表示部３３は、例えば、報知指示部３５ｂからの、再度の溢水状態の検知を表示できる構成であればよい。具体的には、表示部３３は、例えば音による報知が可能なスピーカなどを付属する構成としてもよい。また、表示部３３ではなく、スピーカなどで音による報知のみをする構成としてもよい。
【００７６】
以上のように、制御部３０は構成され、動作する。
【００７７】
なお、本開示においては、前述した様々な実施の形態のうちの任意の実施の形態を、適宜、組み合わせることも含む。これらにより、それぞれの実施の形態が有する効果を、同様に奏することができる。
【００７８】
以上で説明したように、本発明の食器洗い機は、食器を収納する開口部を有する洗浄槽と、洗浄槽の開口部を開閉可能に配設される扉を備える。扉は、閉状態で、上下部および両側部の周縁をシール可能なシール部を有する。シール部は、側部または下部の少なくとも一部に、洗浄槽の底面から水位を上げて溢れる溢水が抜けられるシール抜け箇所を有する。さらに、洗浄槽は、扉の下部のシール部の外側に設けられ、シール抜け箇所を抜けた溢水が流れ込む溢水口と、扉の下部のシール部の外側に、溢水口の高さより低い位置に配設され、溢水状態を検知する溢水検知部を備える。
【００７９】
また、溢水検知部は、一対の電極から構成され、一対の電極の間の電気的な特性変化に基づいて、洗浄槽からの溢水状態を検知してよい。
【００８０】
また、本発明の食器洗い機は、食器を洗浄する洗浄水を洗浄槽に供給する給水部と、洗浄槽の底面にたまった洗浄水を排水する排水部と、溢水検知部と、排水部と、給水部と、を制御する制御部を、さらに備える。制御部は、溢水検知部が洗浄槽内からの溢水状態を検知した場合、排水部によって洗浄槽の底面にたまった洗浄水を排水し、溢水検知部が溢水状態の解消を確認すると、再度、給水部から洗浄水を供給し、溢水検知部による溢水状態の検知の有無を確認する溢水状態確認指示部を、有する。
【００８１】
また、制御部は、溢水状態確認指示部による溢水状態の確認において、溢水検知部が、再度、溢水状態を検知した場合、給水部からの洗浄水の供給を中止して、溢水状態であることを、少なくとも音または表示のいずれか一方で知らせる報知指示部を、さらに有してもよい。
【産業上の利用可能性】
【００８２】
本発明は、一時的な溢水の場合に、適切な、排水および給水のリトライが要望される食器洗い機に有用である。
【符号の説明】
【００８３】
１    本体
２    洗浄槽
２ａ    開口部
３ａ，３ｂ    レール
４ａ，４ｂ    食器トレイ
５，５ａ，５ｂ，５ｃ    洗浄ノズル
６    扉
６ａ    下部
７    底面
８    被洗浄物
９    排気口
１０    食器洗い機
１１    シール部
１２    シール抜け箇所
１２ａ    第１シール抜け箇所
１２ｂ    第２シール抜け箇所
１３    溢水受け
１４    溢水口
１４ａ    第１溢水口
１４ｂ    第２溢水口
１５    溢水
１６，１６ａ，１６ｂ    電極（溢水検知部）
１７    導入路
２０    排水口
２１    残さいフィルタ
２２    排水ポンプ（排水部）
２３    洗浄ポンプ（洗浄部）
２４    溢水受けパン
２６    オーバフロー検知部
２７    給水弁（給水部）
３０    制御部（コンピュータ装置）
３１    処理部
３２    記憶部
３３    表示部
３５    プログラム
３５ａ    溢水状態確認指示部
３５ｂ    報知指示部
【図１】
2020071006.tif 000003
【図２】
2020071006.tif 000004
【図３】
2020071006.tif 000005
【図４】
2020071006.tif 000006
【図５】
2020071006.tif 000007
【国際調査報告】
2020071006.tif 000008
2020071006.tif 000009